(57)【要約】【課題】フロントロータリのメンテナンスを行う際に、無理な姿勢を強いられることなく、耕耘軸や耕耘爪を目視しながら作業を行えるようにする。【解決手段】機体の左右中央部に配置されるミッションケース２と、ミッションケース２から左右両側方に延出し、先端部に車輪３が設けられる車軸４と、ミッションケース２の後部から後上方に延出する操縦ハンドル１０と、ミッションケース２の前部に設けられ、車軸４よりも前方で土壌を耕耘するフロントロータリ５とを備える歩行型管理機１であって、車輪３を支点として機体が後傾し、かつ、フロントロータリ５が地面から所定の高さまで上昇した状態を保つように機体を支持するスタンド姿勢と、機体の支持を解除する非スタンド姿勢とに変姿可能なメンテナンス用のスタンド装置２１を備える。【選択図】図２
2013034421.tif 000002
【特許請求の範囲】
【請求項１】
機体の左右中央部に配置されるミッションケースと、
前記ミッションケースから左右両側方に延出し、先端部に車輪が設けられる車軸と、
前記ミッションケースの後部から後上方に延出する操縦ハンドルと、
前記ミッションケースの前部に設けられ、前記車軸よりも前方で土壌を耕耘するフロントロータリとを備える歩行型管理機であって、
前記車輪を支点として機体が後傾し、かつ、前記フロントロータリが地面から所定の高さまで上昇した状態を保つように機体を支持するスタンド姿勢と、機体の支持を解除する非スタンド姿勢とに変姿可能なメンテナンス用のスタンド装置を備えることを特徴とする歩行型管理機のメンテナンス用スタンド装置。
【請求項２】
前記スタンド装置は、非スタンド姿勢において前記フロントロータリの耕耘土を均すレーキ部を備えることを特徴とする請求項１記載の歩行型管理機のメンテナンス用スタンド装置。
【発明の詳細な説明】
【技術分野】
【０００１】
本発明は、フロントロータリを備える歩行型管理機のメンテナンス用スタンド装置に関する。
【背景技術】
【０００２】
歩行型管理機としては、車軸を耕耘軸に兼用する車軸耕耘式（例えば、特許文献１参照）、車軸より後方で土壌を耕耘するリヤロータリ式、車軸よりも前方で土壌を耕耘するフロントロータリ式などが知られている。フロントロータリ式の歩行型管理機は、車軸耕耘式に比べて作業始めのダッシングが発生しにくいだけでなく、リヤロータリ式に比べて足元に広い空間を確保できるので、取り扱いが容易であり、家庭菜園などに広く用いられている。
【先行技術文献】
【特許文献】
【０００３】
【特許文献１】実開昭５２−１７７１１号公報
【発明の概要】
【発明が解決しようとする課題】
【０００４】
ところで、フロントロータリ式の歩行型管理機では、フロントロータリのメンテナンスを行う場合、例えば、耕耘軸に巻き付いた草や、耕耘爪に付着した泥を除去する場合には、通常、機体の前側からフロントロータリ内に手を入れて作業を行うが、耕耘軸や耕耘爪の上方はロータリカバーで覆われているので、耕耘軸や耕耘爪を目視しながら作業をしようとすると、無理な姿勢を強いられるという問題があった。
【課題を解決するための手段】
【０００５】
本発明は、上記の如き実情に鑑みこれらの課題を解決することを目的として創作されたものであって、機体の左右中央部に配置されるミッションケースと、前記ミッションケースから左右両側方に延出し、先端部に車輪が設けられる車軸と、前記ミッションケースの後部から後上方に延出する操縦ハンドルと、前記ミッションケースの前部に設けられ、前記車軸よりも前方で土壌を耕耘するフロントロータリとを備える歩行型管理機であって、前記車輪を支点として機体が後傾し、かつ、前記フロントロータリが地面から所定の高さまで上昇した状態を保つように機体を支持するスタンド姿勢と、機体の支持を解除する非スタンド姿勢とに変姿可能なメンテナンス用のスタンド装置を備えることを特徴とする。
また、前記スタンド装置は、非スタンド姿勢において前記フロントロータリの耕耘土を均すレーキ部を備えることを特徴とする。
【発明の効果】
【０００６】
請求項１の発明によれば、フロントロータリが地面から所定の高さまで上昇した状態を保つように機体を支持するメンテナンス用のスタンド装置を備えるので、フロントロータリのメンテナンスを行う際に、無理な姿勢を強いられることなく、耕耘軸や耕耘爪を目視しながら作業を行うことができる。
また、請求項２の発明によれば、スタンド装置は、非スタンド姿勢においてフロントロータリの耕耘土を均すレーキとして機能するので、レーキを別途設ける場合に比べて部品点数の削減や構造の簡略化を図ることができる。
【図面の簡単な説明】
【０００７】
【図１】本発明の第一実施形態に係る歩行型管理機の側面図であり、スタンド装置を非スタンド姿勢とした状態を示す側面図である。
【図２】本発明の第一実施形態に係る歩行型管理機の図であり、スタンド装置をスタンド姿勢とした状態を示す側面図である。
【図３】本発明の第一実施形態に係る歩行型管理機の図であり、スタンド装置をスタンド姿勢とした状態を示す斜視図である。
【図４】本発明の第一実施形態に係る歩行型管理機の車輪及び耕耘爪を省略した図であり、スタンド装置を非スタンド姿勢とした状態を示す側面図である。
【図５】本発明の第一実施形態に係る歩行型管理機の車輪及び耕耘爪を省略した図であり、スタンド装置を非スタンド姿勢とした状態を示す斜視図である。
【図６】本発明の第一実施形態に係る歩行型管理機の車輪及び耕耘爪を省略した図であり、スタンド装置をスタンド姿勢とした状態を示す側面図である。
【図７】本発明の第一実施形態に係る歩行型管理機の車輪及び耕耘爪を省略した図であり、スタンド装置をスタンド姿勢とした状態を示す斜視図である。
【図８】本発明の第一実施形態に係る歩行型管理機の燃料タンクを示す図であり、（Ａ）は燃料タンクの側面図、（Ｂ）は燃料タンクの背面図である。
【図９】本発明の第一実施形態に係る歩行型管理機の燃料タンクを示す図であり、（Ａ）は燃料タンクの断面図、（Ｂ）は燃料タンクの要部断面図である。
【図１０】本発明の第一実施形態に係る歩行型管理機のロータリカバー着脱構造を示す説明図である。
【図１１】本発明の第二実施形態に係る歩行型管理機の側面図であり、スタンド装置を非スタンド姿勢とした状態を示す側面図である。
【図１２】本発明の第二実施形態に係る歩行型管理機の図であり、スタンド装置をスタンド姿勢とした状態を示す側面図である。
【図１３】本発明の第二実施形態に係る歩行型管理機の図であり、スタンド装置をスタンド姿勢とした状態を示す斜視図である。
【発明を実施するための形態】
【０００８】
［第一実施形態］
以下、本発明の実施の形態について、図面に基づいて説明する。図１〜図７において、１は本発明の第一実施形態に係る歩行型管理機であって、該歩行型管理機１は、機体の左右中央部に配置される側面視略へ字状のミッションケース２を備えている。ミッションケース２の後端部には、左右両側方に延出して先端部で車輪３を支持する車軸４が設けられる一方、ミッションケース２の前端部には、車軸４よりも前方で土壌を耕耘するフロントロータリ５が設けられている。尚、本実施形態のミッションケース２は、左右に分割形成されたケース部材の周縁部同士を複数の連結ボルト２ａで一体的に連結して構成されるものである。
【０００９】
ミッションケース２の上方には、エンジン６が搭載されている。エンジン６が発生する動力は、伝動カバー７で覆われる図示しないメインクラッチ（ベルトテンションクラッチ）を介してミッションケース２に伝動されるようになっている。また、エンジン６の上方には、エンジン６の燃料を貯溜する燃料タンク８が配置されており、さらにその後方には、エンジン６の排気音を消音するマフラ９が配置されている。
【００１０】
ミッションケース２の後部には、後上方に延出する操縦ハンドル１０が設けられている。操縦ハンドル１０には、メインクラッチを入り切り操作するクラッチレバー１１と、エンジン６の回転数を調節するエンジンコントロールレバー１２と、エンジン６を停止操作するエンジン停止ボタン１３とが設けられている。また、操縦ハンドル１０の側面視上方には、ミッションケース２から延出する変速レバー１４が配置されており、該変速レバー１４によって車軸４やフロントロータリ５の変速操作を行うようになっている。
【００１１】
ミッションケース２の前端上部には、上方に延出する前輪ブラケット１５が設けられている。前輪ブラケット１５には、先端部に回転自在な前輪１６を備える前輪昇降アーム１７が上下揺動自在に軸支されると共に、前輪昇降アーム１７の揺動を任意の角度で固定する昇降固定レバー１７ａが設けられている。すなわち、左右の車輪３及び前輪１６が接地する状態で機体を走行させるにあたり、前輪１６の高さ調整に基づいてフロントロータリ５の耕耘深さを調整するようになっている。
【００１２】
フロントロータリ５は、ミッションケース２から左右に延出する耕耘軸１８と、該耕耘軸１８に設けられる複数の耕耘爪１９と、耕耘軸１８及び耕耘爪１９の上方を覆うロータリカバー２０とを備えて構成されている。このようなフロントロータリ５は、必要に応じてメンテナンスが行われる。例えば、耕耘作業を行った後には、耕耘軸１８に巻き付いた草や、耕耘爪１９に付着した泥を除去するメンテナンス作業が行われる。フロントロータリ５のメンテナンスに際しては、通常、機体の前側からフロントロータリ５内に手を入れて作業を行うが、耕耘軸１８や耕耘爪１９の上方はロータリカバー２０で覆われているので、耕耘軸１８や耕耘爪１９を目視しながら作業をしようとすると、無理な姿勢を強いられる。
【００１３】
そこで、本発明の第一実施形態に係る歩行型管理機１には、フロントロータリ５のメンテナンスに適した姿勢で機体を保持するメンテナンス用のスタンド装置２１が設けられている。つまり、スタンド装置２１は、車輪３を支点として機体が後傾し、かつ、フロントロータリ５が地面から所定の高さまで上昇した状態を保つように機体を支持するスタンド姿勢と、機体の支持を解除する非スタンド姿勢とに回動変姿可能に構成されており、フロントロータリ５のメンテナンスを行う際には、フロントロータリ５が地面から所定の高さまで上昇し、フロントロータリ５の前方が広く開放された状態とすることができるので、無理な姿勢を強いられることなく、耕耘軸１８や耕耘爪１９を目視しながら作業を行うことが可能になる。
【００１４】
本実施形態のスタンド装置２１は、棒状のスタンドアーム２１ａと、スタンドアーム２１ａの先端部に設けられる接地部２１ｂと、スタンドアーム２１ａの基端部に設けられる支軸２１ｃとを備えており、スタンドブラケット２２を介してミッションケース２の下部に前後回動自在に設けられている。スタンドブラケット２２をミッションケース２の下部に取り付けるにあたり、本実施形態では、ミッションケース２の連結ボルト２ａを利用してスタンドブラケット２２を固定している。このようにすると、ミッションケース２の形状を変更することなく、最小限の部品点数でスタンド装置２１を追加することが可能になる。
【００１５】
本実施形態のスタンドブラケット２２には、スタンド装置２１を非スタンド姿勢に係合保持するキャッチ部２２ａが一体的に設けられている。キャッチ部２２ａは、先端側がスタンドアーム２１ａの径よりも幅狭で、かつ、基端側がスタンドアーム２１ａの径よりも幅広又は同等な間隔を存して立設される一対の弾性係合爪からなり、その先端部間にスタンドアーム２１ａを押し込むことにより、スタンドアーム２１ａが係合保持される。このようなスタンドブラケット２２によれば、スタンド装置２１を回動自在に支持する回動支持部２２ｂと、スタンド装置２１を非スタンド姿勢に保持するキャッチ部２２ａが一体的に構成されるので、これらを別々に構成する場合に比べ、部品点数の削減や構造の簡略化を図ることができる。
【００１６】
本実施形態のスタンド装置２１は、スタンドアーム２１ａの先端側に側方に延出する正面視コ字状の取っ手２１ｄを備えている。この取っ手２１ｄは、スタンド装置２１を前後方向に回動操作する際、手指で握ったり、足で引っ掛けることが可能であり、スタンドアーム２１ａを直接操作する場合に比べて操作性を向上させることができる。
【００１７】
さらに、本実施形態のスタンド装置２１は、非スタンド姿勢（スタンド姿勢以外のすべての姿勢を含み、キャッチ部２２ａに係合保持された姿勢に限定されない。）においてフロントロータリ５の耕耘土を均すレーキ部２１ｅを備えている。本実施形態のレーキ部２１ｅは、接地部２１ｂに兼用されており、キャッチ部２２ａに係合保持された非スタンド姿勢、またはキャッチ部２２ａに係合保持されずに自重で接地する非スタンド姿勢において、フロントロータリ５の耕耘土を均すように作用する。このようなスタンド装置２１によれば、非スタンド姿勢においてフロントロータリ５の耕耘土を均すレーキとして機能するので、レーキを別途設ける場合に比べて部品点数の削減や構造の簡略化を図ることができる。尚、本実施形態では、接地部２１ｂをレーキ部２１ｅに兼用しているが、接地部２１ｂとは別にレーキ部２１ｅを設けてもよい。
【００１８】
レーキ部２１ｅの左右幅は、左右の車輪３の間隔を越えない範囲で可及的に広く設定することが好ましい。このようにすると、非スタンド姿勢において、車輪３との干渉を回避しつつ、広い範囲で耕耘土を均すことができるだけでなく、接地部２１ｂとして機能するスタンド姿勢において機体を安定に支持することができる。
【００１９】
スタンド装置２１は、スタンド姿勢におけるフロントロータリ５のメンテナンス性だけを考えた場合、機体を大きく後傾させ、フロントロータリ５を可及的に高い位置まで上昇させることが有利であるが、機体を大きく後傾させると、燃料タンク８のキャップ２３に形成されるブリーザ孔２３ａから燃料が漏れる惧れがあるので、ブリーザ孔２３ａから燃料が漏れないように機体の後傾角度を設定する必要がある。しかしながら、ブリーザ孔２３ａから燃料が漏れないように機体の後傾角度を設定したとしても、燃料タンク８に対して燃料が過剰給油された場合には、ブリーザ孔２３ａから燃料が漏れる惧れがある。本実施形態の歩行型管理機１では、ブリーザ孔２３ａから燃料が漏れたとしても、漏れた燃料が高温のマフラ９にかかることを防止するための対策（逃がし溝２４）と、過剰給油による燃料の漏れ自体を防止するための対策（ブリーザ開閉弁２５）が施されている。以下、２つの対策について順次説明する。
【００２０】
図８に示すように、燃料タンク８の後面部には、逃がし溝２４が形成されている。逃がし溝２４は、燃料タンク８に溶接などで一体的に設けられる部材によって形成されるもので、キャップ２３のブリーザ孔２３ａから漏れた燃料を左右いずれか側方に導くための傾斜を有し、漏れた燃料がマフラ９にかかることを防止する。
【００２１】
図９に示すように、ブリーザ開閉弁２５は、キャップ２３の内蓋２３ｂと対向し、その上下動に応じてブリーザ孔２３ａを開閉する弁部２５ａと、燃料タンク８内の燃料レベルに応じて上下動するフロート部２５ｂと、弁部２５ａとフロート部２５ｂとを連結する連結部２５ｃとを備えて構成されている。燃料タンク８内の燃料レベルが適正レベルよりも下方である場合は、弁部２５ａがキャップ２３の内蓋２３ｂよりも下方に位置するので、ブリーザ孔２３ａが開放し、エンジン６に対して正常な燃料供給を行うことが可能であるが、燃料タンク８内の燃料レベルが過給油レベルである場合は、弁部２５ａがキャップ２３の内蓋２３ｂに当接してブリーザ孔２３ａを塞ぐので、エンジン６に対する正常な燃料供給が困難になる。つまり、エンジン始動後、所定時間が経過すると、燃料タンク８内が負圧になって燃料が安定的に供給されなくなるので、エンジン回転が不安定になり、オペレータに過給油を報知することができる。また、過給油状態では、機体を後傾させても、ブリーザ孔２３ａがブリーザ開閉弁２５によって塞がれているので、燃料の漏れも防止することが可能になる。尚、２３ｃは、給油時に燃料を濾過するフィルタである。
【００２２】
さらに、本実施形態の歩行型管理機１は、スタンド装置２１で機体を後傾姿勢に保持しても、良好なメンテナンス性を確保できない場合を想定し、ロータリカバー２０を簡易に着脱可能としている。例えば、耕耘軸１８や耕耘爪１９を交換する等の大掛かりなメンテナンスを行う場合には、スタンド装置２１で機体を後傾姿勢に保持し、さらにロータリカバー２０を取り外すことで、良好なメンテナンス性を確保することができる。ちなみに、本実施形態では、ロータリカバー２０の着脱を容易にするにあたり、ロータリカバー２０の前端部に側面視Ｚ状の差し込み金具２６を設けるとともに、ミッションケース２側に穴付き金具２７を設け、該穴付き金具２７で差し込み金具２６を係合保持する一方、ロータリカバー２０の後端部を、前輪ブラケット１５の上端部に前後回動自在に設けた可動式固定金具２８で係合保持している。
【００２３】
叙述の如く構成された本実施形態によれば、機体の左右中央部に配置されるミッションケース２と、ミッションケース２から左右両側方に延出し、先端部に車輪３が設けられる車軸４と、ミッションケース２の後部から後上方に延出する操縦ハンドル１０と、ミッションケース２の前部に設けられ、車軸４よりも前方で土壌を耕耘するフロントロータリ５とを備える歩行型管理機１であって、車輪３を支点として機体が後傾し、かつ、フロントロータリ５が地面から所定の高さまで上昇した状態を保つように機体を支持するスタンド姿勢と、機体の支持を解除する非スタンド姿勢とに変姿可能なメンテナンス用のスタンド装置２１を備えるので、フロントロータリ５のメンテナンスを行う際に、無理な姿勢を強いられることなく、耕耘軸１８や耕耘爪１９を目視しながら作業を行うことができる。
【００２４】
また、スタンド装置２１は、非スタンド姿勢においてフロントロータリ５の耕耘土を均すレーキ部２１ｅを備えるので、レーキを別途設ける場合に比べて部品点数の削減や構造の簡略化を図ることができる。
【００２５】
［第二実施形態］
次に、本発明の第二実施形態に係る歩行型管理機１について、図１１〜図１３を参照して説明する。これらの図に示すように、第二実施形態の歩行型管理機１は、スタンド装置２１Ｂがレーキ部２１ｅを備えていない点が前記実施形態と相違している。このようなスタンド装置２１Ｂであっても、車輪３を支点として機体が後傾し、かつ、フロントロータリ５が地面から所定の高さまで上昇した状態を保つように機体を支持することができるので、フロントロータリ５のメンテナンスを行う際に、無理な姿勢を強いられることなく、耕耘軸１８や耕耘爪１９を目視しながら作業を行うことができる。
【符号の説明】
【００２６】
１      歩行型管理機
２      ミッションケース
３      車輪
４      車軸
５      フロントロータリ
６      エンジン
８      燃料タンク
１０    操縦ハンドル
１６    前輪
１８    耕耘軸
１９    耕耘爪
２０    ロータリカバー
２１    スタンド装置
２１ｅ  レーキ部
２２    スタンドブラケット
【図１】
2013034421.tif 000003
【図２】
2013034421.tif 000004
【図３】
2013034421.tif 000005
【図４】
2013034421.tif 000006
【図５】
2013034421.tif 000007
【図６】
2013034421.tif 000008
【図７】
2013034421.tif 000009
【図８】
2013034421.tif 000010
【図９】
2013034421.tif 000011
【図１０】
2013034421.tif 000012
【図１１】
2013034421.tif 000013
【図１２】
2013034421.tif 000014
【図１３】
2013034421.tif 000015